(57)【要約】【課題】携帯電話のメールアドレスに変更が発生した際、ユーザの通知するという作業を簡略化し、ユーザの通知忘れを防止する。【解決手段】携帯電話１は、ユーザ自らのメールアドレス情報を保持するテーブル１２ａ及びメール送付用フォーマット１２ｂを登録する第１記憶部１２と、ユーザ自らのメールアドレス情報の変更時にその変更通知メールを出したい相手のメールアドレス情報を保持するテーブル１３ａ及び変更通知メール用の変更通知文書１３ｂを登録する第２記憶部１３と、ユーザ自らのメールアドレス情報の変更があったか否かを検出し、該変更があったと検出された場合、メール送付用フォーマット１２ｂの宛先欄と文書欄にテーブル１３ａの相手のメールアドレス情報と変更通知文書１３ｂを貼り付けて変更通知メール１６を作成し、その変更通知メール１６を無線部１４を介して送信する制御部１０とを備える。【選択図】  図１
2004282583.tif 000002
【特許請求の範囲】
【請求項１】
メールを送受信するメール機能を有する携帯電話であって、
ユーザ自らのメールアドレス情報を登録する第１登録手段と、
該ユーザ自らのメールアドレス情報の変更時にその変更通知メールを出したい相手のメールアドレス情報及び前記変更通知メール用の文書情報を登録する第２登録手段と、
前記第１登録手段に登録された前記ユーザ自らのメールアドレス情報の変更があったか否かを検出し、該ユーザ自らのメールアドレス情報の変更があったと検出された場合、前記メール機能により、前記第２登録手段に登録された前記相手のメールアドレス情報と前記文書情報に基づいて前記変更通知メールを作成して送信する制御手段とを備えたことを特徴とする携帯電話。
【請求項２】
前記第１登録手段は、さらに前記メールの少なくとも宛先欄と文書欄を含むメール送付用フォーマットを登録し、
前記制御手段は、前記メール送付用フォーマットの宛先欄と文書欄に前記相手のメールアドレス情報と前記文書情報とを貼り付けて該変更通知メールを作成することを特徴とする請求項１に記載の携帯電話。
【請求項３】
前記制御手段は、前記ユーザ自らのメールアドレス情報に変更があったと検出された場合、前記変更通知メールを作成する前に、前記変更通知メールを送信するか否かの判断を該ユーザに促すメッセージを表示することを特徴とする請求項１又は２に記載の携帯電話。
【請求項４】
前記第２登録手段は、前記携帯電話に搭載されるメモリに他人のメールアドレス情報を登録するときに該他人の中から前記相手を選択してそのメールアドレス情報を登録することを請求項１乃至３のいずれか１項に記載の携帯電話。
【請求項５】
メールを送受信するメール機能を有する携帯電話のメールアドレス変更通知方法であって、
ユーザ自らのメールアドレス情報を登録するステップと、
該ユーザ自らの用メールアドレス情報の変更時にその変更通知メールを出したい相手のメールアドレス情報及び前記変更通知メール用の文書情報を登録するステップと、
前記ユーザ自らのメールアドレス情報の変更があったか否かを検出し、該ユーザ自らのメールアドレス情報の変更があったと検出された場合、前記メール機能により、少なくとも前記相手のメールアドレス情報と前記文書情報とに基づいて前記変更通知メールを作成して送信するステップとを備えたことを特徴とする携帯電話のメールアドレス変更通知方法。
【請求項６】
前記メールの少なくとも宛先欄と文書欄を含むメール送付用フォーマットを登録するステップをさらに有し、
前記変更通知メールを作成して送信するステップは、前記メール送付用フォーマットの宛先欄と文書欄に前記相手のメールアドレス情報と前記文書情報とを貼り付けて該変更通知メールを作成するステップを有することを特徴とする請求項５に記載の携帯電話のメールアドレス変更通知方法。
【請求項７】
前記変更通知メールを作成して送信するステップは、前記ユーザ自らのメールアドレス情報に変更があったと検出された場合、前記変更通知メールを作成する前に、前記変更通知メールを送信するか否かの判断を該ユーザに促すメッセージを表示するステップを有することを特徴とする請求項５又は６に記載の携帯電話のメールアドレス変更通知方法。
【請求項８】
前記相手のメールアドレス情報を登録するステップは、前記携帯電話に搭載されたメモリに他人のメールアドレス情報を登録するときに該他人の中から前記相手を選択してそのメールアドレス情報を登録することを請求項５乃至７のいずれか１項に記載の携帯電話のメールアドレス変更通知方法。
【請求項９】
メールを送受信するメール機能を有する携帯電話の制御プログラムであって、
前記携帯電話に搭載されたコンピュータに、
ユーザ自らのメールアドレス情報を登録するステップと、
該ユーザ自らの用メールアドレス情報の変更時にその変更通知メールを出したい相手のメールアドレス情報及び前記変更通知メール用の文書情報を登録するステップと、
前記ユーザ自らのメールアドレス情報の変更があったか否かを検出し、該ユーザ自らのメールアドレス情報の変更があったと検出された場合、前記メール機能により、少なくとも前記相手のメールアドレス情報と前記文書情報とに基づいて前記変更通知メールを作成して送信するステップとを実行させるための携帯電話の制御プログラム。
【請求項１０】
前記メールの少なくとも宛先欄と文書欄を含むメール送付用フォーマットを登録するステップをさらに有し、
前記変更通知メールを作成して送信するステップは、前記メール送付用フォーマットの宛先欄と文書欄に前記相手のメールアドレス情報と前記文書情報とを貼り付けて該変更通知メールを作成するステップを有することを特徴とする請求項５に記載の携帯電話の制御プログラム。
【請求項１１】
前記変更通知メールを作成して送信するステップは、前記ユーザ自らのメールアドレス情報に変更があったと検出された場合、前記変更通知メールを作成する前に、前記変更通知メールを送信するか否かの判断を該ユーザに促すメッセージを表示するステップを有することを特徴とする請求項５又は６に記載の携帯電話の制御プログラム。
【請求項１２】
前記相手のメールアドレス情報を登録するステップは、前記携帯電話に搭載されたメモリに他人のメールアドレス情報を登録するときに該他人の中から前記相手を選択してそのメールアドレス情報を登録することを請求項９乃至１１のいずれか１項に記載の携帯電話の制御プログラム。
【発明の詳細な説明】
【０００１】
【発明の属する技術分野】
本発明は、携帯電話、そのメールアドレス変更通知方法、及びその制御プログラムに関する。
【０００２】
【従来の技術】
近年、携帯電話においてメールを使用した情報交換が頻繁に行われるようになってきているのに伴い、迷惑メールといったユーザが望まないメールも頻繁に送られてくるようになってきている。こういった迷惑メールは、受信する度に料金が発生するため、ユーザ側の対策として、この迷惑メールが送られてこないよう、ユーザ自身のメールアドレスを新しいメールアドレスに変更するケースが増えている。
【０００３】
【特許文献１】
特開平０１−１５２８３９号公報
【特許文献２】
特開平０３−００４６４０号公報
【０００４】
【発明が解決しようとする課題】
しかしながら、従来の携帯電話では、ユーザがメールアドレスを変更した場合、ユーザ自身が通知したい相手に対しメール送信等の何かしらの通知するという行為をわざわざ行ってその変更があった事を知らせているため、通知するという行為自体が面倒であり、また変更通知を出すのを忘れてしまうといった問題があった。
【０００５】
これに対し、特許文献１、２では、メールアドレスの変更情報を他のプロセッサに通知して、そのプロセッサのメールアドレスを変更する技術が開示されているが、必ずしも携帯電話のメールアドレスに変更があった場合でその変更通知を出す場合の上記問題の解決を意図するものではない。
【０００６】
本発明は、このような従来の事情を考慮してなされたもので、携帯電話のメールアドレスに変更が発生した際、ユーザの通知するという作業を簡略化し、ユーザの通知忘れを防止することを目的とする。
【０００７】
【課題を解決するための手段】
上記目的を達成するため、本発明は、携帯電話においてメールアドレスの変更が発生した際に、あらかじめ登録しておいた相手に自動的に変更通知メールを送信することで、ユーザの通知するという作業を簡略化するものである。
【０００８】
すなわち、本発明に係る携帯電話は、メールを送受信するメール機能を有する構成であって、ユーザ自らのメールアドレス情報を登録する第１登録手段と、該ユーザ自らのメールアドレス情報の変更時にその変更通知メールを出したい相手のメールアドレス情報及び前記変更通知メール用の文書情報を登録する第２登録手段と、前記第１登録手段に登録された前記ユーザ自らのメールアドレス情報の変更があったか否かを検出し、該ユーザ自らのメールアドレス情報の変更があったと検出された場合、前記メール機能により、前記第２登録手段に登録された前記相手のメールアドレス情報と前記文書情報に基づいて前記変更通知メールを作成して送信する制御手段とを備えたことを特徴とする。
【０００９】
本発明に係る携帯電話において、前記第１登録手段は、さらに前記メールの少なくとも宛先欄と文書欄を含むメール送付用フォーマットを登録し、前記制御手段は、前記メール送付用フォーマットの宛先欄と文書欄に前記相手のメールアドレス情報と前記文書情報とを貼り付けて該変更通知メールを作成してもよい。
【００１０】
また、前記制御手段は、前記ユーザ自らのメールアドレス情報に変更があったと検出された場合、前記変更通知メールを作成する前に、前記変更通知メールを送信するか否かの判断を該ユーザに促すメッセージを表示することもできる。
【００１１】
さらに、前記第２登録手段は、前記携帯電話に搭載されるメモリに他人のメールアドレス情報を登録するときに該他人の中から前記相手を選択してそのメールアドレス情報を登録しても構わない。
【００１２】
本発明に係る携帯電話のメールアドレス変更通知方法は、メールを送受信するメール機能を有する携帯電話で用いるものであって、ユーザ自らのメールアドレス情報を登録するステップと、該ユーザ自らの用メールアドレス情報の変更時にその変更通知メールを出したい相手のメールアドレス情報及び前記変更通知メール用の文書情報を登録するステップと、前記ユーザ自らのメールアドレス情報の変更があったか否かを検出し、該ユーザ自らのメールアドレス情報の変更があったと検出された場合、前記メール機能により、少なくとも前記相手のメールアドレス情報と前記文書情報とに基づいて前記変更通知メールを作成して送信するステップとを備えたことを特徴とする。
【００１３】
本発明に係る携帯電話のメールアドレス変更通知方法において、前記メールの少なくとも宛先欄と文書欄を含むメール送付用フォーマットを登録するステップをさらに有し、前記変更通知メールを作成して送信するステップは、前記メール送付用フォーマットの宛先欄と文書欄に前記相手のメールアドレス情報と前記文書情報とを貼り付けて該変更通知メールを作成するステップを有してもよい。
【００１４】
また、前記変更通知メールを作成して送信するステップは、前記ユーザ自らのメールアドレス情報に変更があったと検出された場合、前記変更通知メールを作成する前に、前記変更通知メールを送信するか否かの判断を該ユーザに促すメッセージを表示するステップを有することもできる。
【００１５】
さらに、前記相手のメールアドレス情報を登録するステップは、前記携帯電話に搭載されたメモリに他人のメールアドレス情報を登録するときに該他人の中から前記相手を選択してそのメールアドレス情報を登録しても構わない。
【００１６】
本発明に係る携帯電話の制御プログラムは、メールを送受信するメール機能を有する携帯電話の制御プログラムであって、前記携帯電話に搭載されたコンピュータに、ユーザ自らのメールアドレス情報を登録するステップと、該ユーザ自らの用メールアドレス情報の変更時にその変更通知メールを出したい相手のメールアドレス情報及び前記変更通知メール用の文書情報を登録するステップと、前記ユーザ自らのメールアドレス情報の変更があったか否かを検出し、該ユーザ自らのメールアドレス情報の変更があったと検出された場合、前記メール機能により、少なくとも前記相手のメールアドレス情報と前記文書情報とに基づいて前記変更通知メールを作成して送信するステップとを実行させるためのものである。
【００１７】
本発明に係る携帯電話の制御プログラムにおいて、前記メールの少なくとも宛先欄と文書欄を含むメール送付用フォーマットを登録するステップをさらに有し、前記変更通知メールを作成して送信するステップは、前記メール送付用フォーマットの宛先欄と文書欄に前記相手のメールアドレス情報と前記文書情報とを貼り付けて該変更通知メールを作成するステップを有してもよい。
【００１８】
また、前記変更通知メールを作成して送信するステップは、前記ユーザ自らのメールアドレス情報に変更があったと検出された場合、前記変更通知メールを作成する前に、前記変更通知メールを送信するか否かの判断を該ユーザに促すメッセージを表示するステップを有することもできる。
【００１９】
さらに、前記相手のメールアドレス情報を登録するステップは、前記携帯電話に搭載されたメモリに他人のメールアドレス情報を登録するときに該他人の中から前記相手を選択してそのメールアドレス情報を登録しても構わない。
【００２０】
【発明の実施の形態】
以下、本発明に係る携帯電話、そのメールアドレス変更通知方法、及びその制御プログラムの実施の形態を図１〜図３を参照して説明する。
【００２１】
本実施形態は、既知の携帯電話、ＰＨＳ（Ｐｅｒｓｏｎａｌ  Ｈａｎｄｙｐｈｏｎｅ  Ｓｙｓｔｅｍ）等のいずれの携帯通信端末（移動局）にも適用可能で、通常の音声通話のほか、少なくとも既知のメール機能を含むものである。このメール機能は、送信すべきメッセージを作成し、その作成メッセージを電子メール（以下、単に「メール」）として、指定されたメールアドレスで特定される他の通信端末（携帯電話、ＰＨＳ等）に送信する共に、他の通信端末からのメールを受信し、その受信メールのメッセージを画面表示するものである。
【００２２】
上記メール機能は、少なくとも送信すべきメッセージの作成及びそのメール送信、メール受信及びその受信メッセージ表示の各機能を実現するものであれば、いずれのハード構成（送受信回路等の回路構成）／ソフト構成（ＯＳ（Ｏｐｅｒａｔｉｎｇ  Ｓｙｓｔｅｍ）、通信プロトコル、表示画面制御用のユーザーインターフェース等のプログラム構成）を採用しても適用可能である。
【００２３】
図１は、上記メール機能を有する携帯電話のシステム構成を示すブロック図である。図１に示す携帯電話１は、基地局２との間で所定の無線通信方式（例えば、ＰＤＣ（Ｐｅｒｓｏｎａｌ  Ｄｉｇｉｔａｌ  Ｃｅｌｌｕｌａｒ）方式等）に基づく使用周波数帯（ＰＤＣ方式の例では８００ＭＨｚ帯又は１．５ＧＨｚ帯等）の電波による無線通信を行い、その基地局に接続された交換機、公衆回線等の通信回線、他の交換機、及びこれに接続された基地局を介して他の通信端末（携帯電話、ＰＨＳ等）との間で回線接続を確立し、通常の音声通話のほか、上記メール機能によるメール送受信も可能となっている。
【００２４】
上記携帯電話１には、例えば利用者が携帯しやすい折り畳み型等の所定形状の装置本体（図示しない）を有し、この装置本体に、図１に示すように装置全体の制御中枢の役割を担うと共に本発明の制御手段を成す制御部１０のほか、この制御部１０にバス等を介して接続され、その制御部１０による全体制御のもとで動作する機能上の各部、メモリ１１、本発明の第１登録手段を成す第１記憶部１２、本発明の第２登録手段を成す第２記憶部１３、アンテナ１４ａを有する無線部１４、及びＬＣＤ（Ｌｉｑｕｉｄ  Ｃｒｙｓｔａｌ  Ｄｉｓｐｌａｙ：液晶ディスプレイ）部１５を有している。その他、装置本体には、既知の構成要素として、図示しないキー操作部（数字キー、記号キー、電源オン／オフ用・通話開始用・通話終了用・モード切り替え・確定用の各種制御キー等）、音声処理部、マイク・スピーカ、及び電源部（バッテリ等）等も搭載される。
【００２５】
この内、メモリ１１には、そのメモリ内テーブル１１ａとして他人の電話番号情報とそのメールアドレス情報が登録される。また、第１記憶部１２には、その第１記憶部内テーブル１２ａとしてユーザ自らの電話番号情報とそのメールアドレス情報が登録され、これに加えメールの宛先、件名、文書等を入力して送信メールを作成するためのメール送付用フォーマット１２ｂが登録される。さらに、第２記憶部１３には、その第２記憶部内テーブル１３ａとしてユーザ自らのメールアドレスを変更した場合にその変更通知メール１６を送付したい相手のメールアドレス情報が登録され、これに加え、その変更通知メール１６のメッセージとして使用すべき変更通知文書１３ｂが登録される。
【００２６】
上記メモリ１１、第１記憶部１２、及び第２記憶部１３は、それぞれ別体のメモリとして個々に設けられてもよいし、或いは１つのメモリ上の異なる領域に割り当てるように構成されてもよいし、要は上記情報を個別に登録する構成であれば、いずれのものでも適用可能である。
【００２７】
制御部１０は、例えばＣＰＵ、その制御プログラム１０ａを格納するメモリ等を搭載したマイクロコンピュータから構成され、そのＣＰＵがメモリに格納された制御プログラム１０ａの各命令を実行することにより、上記各部１１〜１５（図示しない各部も含む）の動作を制御し、これにより通常の携帯電話による通話等の制御に加え、上記メール機能等の制御を実行する。なお、本発明の携帯電話が有する各手段とそのメールアドレス変更通知方法の各ステップは、本実施形態では、制御部１０を構成するマイクロコンピュータのＣＰＵがそのメモリに格納された制御プログラム１０ａの各命令を実行することにより実現されるものである。
【００２８】
この制御部１０は、本実施形態の例では、上記制御プログラム１０ａを実行することにより、ユーザ操作により第１記憶部１２に登録されているテーブル１２ａ上のユーザ自らのメールアドレス情報が変更されたか否かを検出し、該メールアドレス情報の変更を検出したときに第２記憶部１３に登録されているテーブル１３ａ上の変更通知を出したい相手のメールアドレス情報とその変更通知文書１３ｂを呼び出し、これらの情報をメール送付用フォーマットの宛先欄、文書欄の該当部分に貼り付けて変更通知メール１６を作成し、その変更通知メール１６を第２記憶部１３に登録された相手に無線部１４を経由して送付する命令を上記メール機能に与えるメールアドレス変更通知機能を有する。
【００２９】
無線部１４は、例えば無線通信方式がＰＤＣ方式の例では、アクセス方式がＴＤＭＡ（Ｔｉｍｅ  Ｄｉｖｉｓｉｏｎ  Ｍｕｌｔｉｐｌｅ  Ａｃｃｅｓｓ）、変調方式がπ／４シフトＱＰＳＫ（Ｑｕａｄｒａｔｕｒｅ  Ｐｈａｓｅ  Ｓｈｉｆｔ  Ｋｅｙｉｎｇ）に基づく無線通信を実行するものである。この回路構成の一例（図示しない）としては、アンテナ１４ａに接続される送信／受信切り替えスイッチ、そのスイッチの受信側に接続される送信回路（例えば、パワー・アンプ、ミキサ、ローパスフィルタ、復調器等）、そのスイッチの受信側に接続される受信回路（例えば、パワー・アンプ、ミキサ、変調器等）、その送受信回路の復調器及び変調器に接続されるＴＤＭＡ回路（ベースバンド回路を含む）、送受信回路の両ミキサに接続される局部発信器等が含まれる。
【００３０】
この無線部１４は、上記送信回路及び受信回路の動作により、制御部１０からの制御信号に基づいて、送信時には、その送信すべきデータ（音声処理部からの処理データ、メールとして送信すべき処理データ等）に対しＴＤＭＡ回路にてそのＴＤＭＡ用の同期を取る等の処理後、そのデータに応じた変調信号であるベースバンド信号を生成し、変調器にてそのベースバンド信号により、送信周波数よりも低い中間周波数（例えば、１００〜３００ＭＨｚ程度）の搬送波（中間周波信号又はＩＦ信号）をπ／４シフトＱＰＳＫの変調方式に基づいて変調し、そのπ／４シフトＱＰＳＫ変調波を、ミキサにて局部発信器からの所定周波数（例えば、１〜２ＧＨｚ程度）の出力と掛け合わせることで所定送信周波数（ＰＤＣ方式の例では、例えば１．５ＧＨｚ）の変調波（高周波信号又はＲＦ信号）に周波数変換し、その変調波をパワーアンプにて電力増幅して送信／受信切り替えスイッチを介してアンテナ１４ａから電波として送り出す。
【００３１】
また、この無線部１４は、受信時には、基地局２から送信される所定周波（例えば、１．５ＧＨｚ）の変調波から構成される電波をアンテナ１４ａにて微弱な電気信号に変換して受信し、その電気信号を送信／受信切り替えスイッチを介してパワーアンプにて電力増幅後、ミキサにて局部発信器からの所定周波（例えば、１００〜３００ＭＨｚ）の出力と掛け合わせ、中間周波信号に周波数変換し、復調器にて搬送波成分を除去してベースバンド信号に復調し、元のデータ（音声データ、メールのメッセージ等）としてＬＣＤ部１５等に出力する。
【００３２】
ＬＣＤ部１５は、例えばカラーＬＣＤ等で構成され、制御部１からの制御信号に基づいて、予め設定された各種画面を表示し、ユーザがその表示画面を見ながらキー操作部（図示しない）等の操作により各種モード・画面切り替え、選択、実行、入力、編集等の各種操作を行えるようになっている。これら各種画面上に表示される情報には、例えば、通話相手の電話番号や、メール受信／送信の各メッセージのほか、本実施形態の例では、メールアドレス変更通知に関するユーザ向けメッセージ、すなわち変更通知を出す相手として登録するか否かの判断を促すメッセージや、メールアドレスの変更時に変更通知メールを出すか否かの判断を促すメッセージが含まれる。
【００３３】
ここで、本実施形態の携帯電話１におけるメールアドレス変更通知方法の処理例を説明する。この処理は、制御部１０の制御プログラム１０ａ実行により行われるものである。
【００３４】
図２は、メールアドレス変更通知方法の処理手順を示すフローチャート、図３は、メールアドレス変更通知方法の処理の様子を説明する図である。
【００３５】
まず、図２に示す処理を実行する前段階として、図３に示すように、第１記憶部１２、及び第２記憶部１３には、それぞれ第１記憶部テーブル１２ａ上のユーザ自らの電話番号とそのメールアドレス情報と、メール送付用フォーマット１２ｂと、第２記憶部テーブル１３ａ上の変更通知を出したい相手のメールアドレス情報と、変更通知文書１３ｂとが予め保存されているものとする。
【００３６】
ここで、第２記憶部テーブル１３ａ上の変更通知を出したい相手のメールアドレス情報に関しては、例えば図３に示すように、メモリ１１のテーブル１１ａ上に他人の電話番号とそのメールアドレス情報を登録する際、この処理と共に、メールアドレスに変更があった場合にその相手に“変更通知を出す／出さない”の選択をＬＣＤ部１５の表示画面を見ながら所定のキー操作により行えるようにしておき、これにより、“変更通知を出す”という選択がされた相手のメールアドレス情報のみを第２記憶部１３上のテーブル１３ａに登録するものとする。
【００３７】
また、変更通知文書１３ｂに関しては、予め作成された変更通知メッセージ用のフォーマット（例えば、図３に示すように、「メールアドレスが変更しました。新しいアドレスは”ｘｘｘｘｘ＠ｘｘｘ．ｘｘ．ｘｘ”です。」等）がデフォルトで登録されているものとする。このデフォルト・フォーマットは、ユーザが自由に書き換え可能となっている。この場合、複数の異なる変更通知文書１３ｂを登録しておき、相手に応じて個別に又は特定のグループ単位毎に変更通知文書１３ｂを割り当てるように設定してもよい。また、図３に示す変更通知文書１３ｂの例では、制御部１０がその制御プログラム１０ａを実行することにより、第１記憶部１２に登録されているユーザ自らのメールアドレス更新時にその更新されたメールアドレス情報をフォーマット中の該当部分に書き換えるように構成することも可能である。
【００３８】
上記の各登録処理が終了すると、次段階として、図２に示す処理が行われる。
【００３９】
まず、制御部１０は、第１記憶部テーブル１２ａ上の登録されているユーザ自らのメールアドレス情報が変更されたか否かを判断する（ステップＳｔ１）。この場合、ユーザが迷惑メール対策等の何かしらの理由により新しいメールアドレスに変更すると、第１記憶部１２ａ上のユーザ自らのメールアドレス情報が更新（書き換え）されるので、更新があるまではＮＯと判断され、更新があった時点でＹＥＳと判断され、次処理に移行する。
【００４０】
次いで、制御部１０は、第１記憶部１２に登録されているメールアドレス情報の変更を検出すると、”変更通知を出す／出さない”の選択を促すメッセージ、例えば“変更通知を出しますか？”などのメッセージをＬＣＤ部１５に表示させ（ステップＳｔ２）、例えば”変更通知を出す”の選択が行われたか否かを判断する（ステップＳｔ３）。
【００４１】
次いで、上記メッセージの回答としてＹＥＳ（変更通知を出す）が選択された場合、制御部１０は、第２記憶部１３からそのテーブル１３ａ（通知したい相手のメールアドレス情報）および変更通知文書１３ｂを呼び出し（ステップＳｔ４）、第１記憶部１２よりそのテーブル１２ａ（ユーザ自らの電話番号）及びメール送付用フォーマット１２ｂを呼び出す（ステップＳｔ５）。
【００４２】
次いで、図３に示すように、メール送付用フォーマットの宛先欄と文書欄の該当部分に第２記憶部１３からのメールアドレスと変更通知文書を貼り付けると共に、メール送付用フォーマットの件名欄に第１記憶部１３からのユーザ自らの電話番号情報を貼り付けて変更通知メール１６を作成し（ステップＳｔ６）、作成された変更通知メール１６を無線部１４を経由して送信する（ステップＳｔ７）。
【００４３】
従って、本実施形態によれば、ユーザ自らのメールアドレス情報に変更があった場合、その変更通知メールが予め登録しておいた相手に自動的に送信されるため、変更があった事を相手に知らせるためのユーザの面倒な作業を簡略化できると共に、ユーザの通知忘れの防止策としても役立てることができる。。
【００４４】
なお、本実施形態では、携帯電話の一例として、無線通信方式がＰＤＣ方式、アクセス方式がＴＤＭＡ、変調方式がπ／４シフトＱＰＳＫ、音声符号化方式がＶＳＥＬＰの場合を例示してあるが、本発明はこれに限定されず、携帯電話のメール機能を実現できるものであれば、例えば次世代携帯電話に採用されるものを含め、種々の方式が適用可能である。
【００４５】
また、本発明は、代表的に例示した上述の実施形態に限定されるものではなく、当業者であれば、特許請求の範囲の記載内容に基づき、その要旨を逸脱しない範囲内で種々の態様に変形、変更することができる。これらの変更例や変形例も本発明の権利範囲に属するものである。
【００４６】
【発明の効果】
以上説明したように、本発明によれば、携帯電話においてメールアドレスの変更が発生した際に、あらかじめ登録された相手に自動的に変更通知メールが送信されるため、ユーザが意識することなく自らのメールアドレスを変更した旨を知らせたい相手に自動的に通知することができ、ユーザの通知するという作業を簡略化することができると共に、ユーザの通知忘れの防止策としても役立てることができる。
【図面の簡単な説明】
【図１】本発明の実施形態に係る携帯電話の全体構成を示す概略ブロック図。
【図２】本発明の実施形態に係る携帯電話のメールアドレス変更通知方法の処理手順を示す概略フォローチャート。
【図３】携帯電話のメールアドレス変更通知方法の概要を説明する図。
【符号の説明】
１  携帯電話
２  基地局
１０  制御部
１０ａ  制御プログラム
１１  メモリ
１１ａ  メモリ内テーブル
１２  第１記憶部
１２ａ  第１記憶部内テーブル
１２ｂ  メール送付用フォーマット
１３  第２記憶部
１３ａ  第２記憶部内テーブル
１３ｂ  変更通知文書
１４  無線部
１４ａ  アンテナ
１５  ＬＣＤ部
１６  変更通知メール
【図１】
2004282583.tif 000003
【図２】
2004282583.tif 000004
【図３】
2004282583.tif 000005